(57)【要約】      （修正有）【課題】ダストやゴミだけでなくスロットメダル及びパチンコ玉も同時に吸引除去でき、かつこれら双方の種類の分別作業を行うるサイクロン式掃除機を提供する。【解決手段】ハウジング１１の外部のダストを含む空気とともにビスやプラスチック片等のゴミ、スロットメダル及びパチンコ玉を吸引口１１ｂからハウジング１１の内部に吸引すると、空気がスペース１１ｆ内で旋回し、遠心分離作用で重いダスト、ゴミ、スロットメダル及びパチンコ玉がハウジング１１の底面開口１１ａからダストバケット１２中の金網籠２６に落下する。軽いダストは開口１６ａから袋状のフィルター２０内に吸引・吸着される。ダストバケット１２内の金網籠２６に落下した重いダスト、ゴミ、スロットメダル及びパチンコ玉のうち金網籠２６の網目を通過できないスロットメダルとパチンコ玉は金網籠に溜まり、ダストやゴミは網目を通過してゴミ袋２５に溜まる。【選択図】図１
2017023235.tif 000002
【特許請求の範囲】
【請求項１】
底面が開口しているハウジングに吸入口と排気口を設け、ハウジングにモータで駆動されるファンを内蔵し、ハウジングの内部に集塵室を区画形成し、集塵室内にフィルターを配置し、ハウジングの底面開口を気密に覆蓋するようにダストバケットをハウジングに着脱可能に装着し、
ファンを駆動してハウジング外部のダストを含む空気とともにゴミ、スロットメダル又はパチンコ玉を吸引口からハウジング内に吸引し、遠心分離作用で重いダスト、ゴミ、スロットメダル又はパチンコ玉をハウジングの内壁面に沿ってハウジングの底面開口からダストバケット中に落下させ、軽いダストを集塵室のフィルターに吸着し、集塵室でダストを除去した空気を排気口からハウジング外部に排気するようにしたサイクロン式掃除機であって、
スロットメダル及びパチンコ玉が通過できないサイズの網目を有する網籠をダストバケット内に着脱可能に設け、
集塵室の底面開口から網籠中に重いダスト、ゴミ、スロットメダル又はパチンコ玉が落下するようにしたことを特徴とするサイクロン式掃除機。
【発明の詳細な説明】
【技術分野】
【０００１】
本発明はサイクロン式掃除機に関し、より詳しくはスロットマシンやパチンコ機を多数設置したホールの清掃に好適なサイクロン式掃除機に関する。
【背景技術】
【０００２】
ホールでは、設置されているスロットマシンやパチンコ機を新しい機種に入れ替える作業が度々行われる。機種の入れ替え作業時にはスロット島やパチンコ島の内部の清掃が行われ、島内部に溜まったダストやビス、プラスチック片等のゴミを掃除機で吸引して除去している。
【０００３】
島内部にはダストやゴミだけでなく、床にスロットメダルやパチンコ玉が多数落ちているが、スロットメダルやパチンコ玉はダストの清掃に用いる掃除機では吸引力が不足するため、吸引できない。
【０００４】
一方、集塵機の一形式として、特開２００２−２８２６３７号公報、特開２００３−１５９５４７号公報、特開２０１４−５４６１１号公報等にサイクロン式集塵機が開示されている。このサイクロン式集塵機は底面を開口したハウジングにモータで駆動されるファンが内蔵され、ハウジングの周面に空気吸入口が設けられ、ハウジングの上部に空気排気口が設けられている。ハウジングの内部には集塵室が区画形成され、集塵室内にフィルターが配置されている。ハウジングの底部にダストバケットが着脱可能に装着されている。
【０００５】
このサイクロン式集塵機では、ファンを駆動してハウジング外部からダストを含む空気を集塵室内に吸引すると、空気がハウジングの内壁に沿って旋回し、比較的重いダスト及びゴミが遠心分離され、ハウジングの底面開口からダストバケット中に落下する。一方、比較的軽いダストは集塵室のフィルターに吸着される。
【０００６】
この種のサイクロン式集塵機をホールの清掃用掃除機として応用すれば、強力な吸引力を有するので、ダストやゴミだけでなく床に落ちているスロットメダルやパチンコ玉を吸引できるが、ダストバケットにはダスト、ゴミ、スロットメダル、パチンコ玉が一緒になって溜まるため、ダストやゴミとスロットメダル又はパチンコ玉を分別する面倒な手作業が不可欠となる。
【先行技術文献】
【特許文献】
【０００７】
【特許文献１】特開２００２−２８２６３７号公報
【特許文献２】特開２００３−１５９５４７号公報
【特許文献３】特開２０１４−５４６１１号公報
【発明の概要】
【発明が解決しようとする課題】
【０００８】
本発明は上記の事情に鑑みて成されたものであって、ダストやゴミだけでなくホールの床に落ちているスロットメダル又はパチンコ玉も同時に吸引して除去でき、かつダストやゴミとスロットメダル又はパチンコ玉の分別作業を簡単に行うことができるサイクロン式掃除機を提供することを目的とする。
【課題を解決するための手段】
【０００９】
請求項１に係る発明は、底面が開口しているハウジングに吸入口と排気口を設け、ハウジングにモータで駆動されるファンを内蔵し、ハウジングの内部に集塵室を区画形成し、集塵室内にフィルターを配置し、ハウジングの底面開口を気密に覆蓋するようにダストバケットをハウジングに着脱可能に装着し、
ファンを駆動してハウジング外部のダストを含む空気とともにゴミ、スロットメダル又はパチンコ玉を吸引口からハウジング内に吸引し、遠心分離作用で重いダスト、ゴミ、スロットメダル又はパチンコ玉をハウジングの内壁面に沿ってハウジングの底面開口からダストバケット中に落下させ、軽いダストを集塵室のフィルターに吸着し、集塵室でダストを除去した空気を排気口からハウジング外部に排気するようにしたサイクロン式掃除機であって、
スロットメダル及びパチンコ玉が通過できないサイズの網目を有する網籠をダストバケット内に着脱可能に設け、
集塵室の底面開口から網籠中に重いダスト、ゴミ、スロットメダル又はパチンコ玉が落下するようにしたことを特徴とする。
【発明の効果】
【００１０】
本発明によれば、ダストバケット内の網籠に落下した重いダスト、ゴミ、スロットメダル及びパチンコ玉のうち網籠の網目を通過できないスロットメダルとパチンコ玉は網籠に溜まり、ダストやゴミは網目を通過してダストバケットの底に溜まるので、簡単にダストやゴミとスロットメダル及びパチンコ玉を分別でき、床に沢山のスロットメダルやパチンコ玉が落ちているホールの清掃作業の効率を大幅に向上させることができる。
【図面の簡単な説明】
【００１１】
【図１】本発明の一実施例に係るサイクロン式掃除機を示す一部破断した斜視図である。
【図２】同サイクロン式掃除機の金網籠を示す斜視図である。
【実施例】
【００１２】
以下に本発明を図面に基づき説明する。図１には本発明の一実施例に係るサイクロン式掃除機１０が示されている。当該サイクロン式掃除機１０は円筒形のハウジング１１と、ハウジング１１の底部に接続されたダストバケット１２及び台車１３を備えている。
【００１３】
ハウジング１１は底面１１ａが開口している。ハウジング１１の外周の下部に空気の吸引口１１ｂが形成され、天井部に排気口１１ｃが形成されている。吸引口１１ｂには、先端にノズル１４ａを有するホース１４が着脱可能に接続される。ハウジング１１の内部にはアッパプレート１５とロアプレート１６が設置され、両プレート１５，１６で集塵室１１ｄが区画形成され、アッパプレート１５の上方にファン室１１ｅが区画形成されている。
【００１４】
ロアプレート１６には複数の開口１６ａが形成され、集塵室１１ｄに連通している。また、ロアプレート１６の周縁部は上向きに折り曲げられ、ハウジング１１の下部の内壁と、この折り曲げ部１６ｂでリング状のスペース１１ｆがハウジング１１の底部内側に形成されている。そして、吸引口１１ｂがこのスペース１１ｆに連通している。
【００１５】
ハウジング１１の天井部には、上端部に摘み１７を設けた吊り下げ棒１８が上下動可能に組み付けられている。吊り下げ棒１８はハウジング１１の天井部とアッパプレート１５を貫通して集塵室１１ｄに達し、下端部に複数本のハンガー部材１９が設けられている。各ハンガー部材１９に袋状のフィルター２０の上端部が掛けられている。フィルター２０の下端部の袋口にはパッキン２１が取り付けられ、パッキン２１がロアプレート１６の開口１６ａの周縁部に密着するように被せられている。摘み１７を上下動すると、フィルター２０が集塵室１１ｄ内で上下動する。
【００１６】
ファン室１１ｅには２台のファン２２と、各ファン２２を駆動する２台のファンモータ２３がそれぞれファン２２と一体に設けられている。アッパプレート１５には集塵室１１ｄに開口する通気口が形成され、ファン２２はこの通気口に臨むようにアッパプレート１５に固定されている。排気口１１ｃはファン室１１ｅに開口するように設けられている。
【００１７】
ハウジング１１の下端部にはパッキン２４が取り付けられている。一方、ダストバケット１２にはゴミ袋２５がダストバケット１２の内面を覆うように被せられ、ゴミ袋２５の内側に金網籠２６が載置されている。
図２に示すように、金網籠２６はスロットメダル２７及びパチンコ玉２８が通過できないサイズの網目をもったステンレス製金網で製作されている。金網籠の底部には足片２６ａが設けられ、ダストバケット１２に金網籠２６を入れて置くと、ダストバケット１２の底部と金網籠２６の底部の間にスペースが形成される。金網籠２６の上端部には取手２６ｂが取り付けられている。ゴミ袋２５と金網籠２６を装填したダストバケット１２は、その上端部をパッキン２４の溝に嵌合することにより、ハウジング１１の底面開口１１ａに気密に、かつ着脱可能に装着できる。
【００１８】
台車１３は前後４個の車輪２９，３０，３１と、台車ハンドル３２を備えている。ダストバケット１２を装着したハウジング１１は台車１３に載置され、台車ハンドル３２を引いたり、押して移動させることができる。
【００１９】
本実施例に係るサイクロン式掃除機１０の構造は以上の通りであって、ホース１４を吸引口１１ｂに接続し、モータ２３でファン２２を駆動しながら、ホース１４のノズルを床に沿って移動させ、ハウジング１１の外部のダストを含む空気とともにビスやプラスチック片等のゴミ、スロットメダル２７及びパチンコ玉２８を吸引口１１ｂからハウジング１１の内部に吸引する。ハウジング１１の内部では空気がスペース１１ｆ内で旋回し、遠心分離作用で重いダスト、ゴミ、スロットメダル２７及びパチンコ玉２８がハウジング１１の底部内壁面に沿ってハウジング１１の底面開口１１ａからダストバケット１２中の金網籠２６に落下する。一方、軽いダストは開口１６ａから袋状のフィルター２０内に吸引され、フィルター２０に吸着される。フィルター２０でダストを除去した空気は、排気口１１ｃからハウジング１１の外部に排気される。
【００２０】
ダストバケット１２内の金網籠２６に落下した重いダスト、ゴミ、スロットメダル２７及びパチンコ玉２８のうち金網籠２６の網目を通過できないスロットメダル２７とパチンコ玉２８は金網籠２６に溜まり、ダストやゴミは網目を通過してゴミ袋２５に溜まるので、簡単にダストやゴミとスロットメダル２７及びパチンコ玉２８を分別でき、床に沢山のスロットメダル２７やパチンコ玉２８が落ちているホールの清掃作業の効率を大幅に向上させることができる。
また、フィルター２０に吸着した軽いダストは摘み１７を掴んで吊り下げ棒１８を上下動させると、フィルター２０から分離してダストバケット１２中に落下する。
【００２１】
本実施例では、網籠として全体を金網で構成した金網籠２６を用いたが、底面だけを金網で構成しても良い。また、プラスチックで成型した網籠を用いることもできる。さらにまた、網目としてスロットメダルは通過できないが、パチンコ玉は通過するものを用いて、スロットメダルとパチンコ玉を仕分けすることも可能である。
【符号の説明】
【００２２】
１０…サイクロン式掃除機
１１…ハウジング
１１ａ…底面開口
１１ｂ…吸引口
１１ｃ…排気口
１１ｄ…集塵室
１１ｅ…ファン室
１２…ダストバケット
２０…フィルター
２２…ファン
２３…モータ
２６…金網籠
２７…スロットメダル
２８…パチンコ玉
【図１】
2017023235.tif 000003
【図２】
2017023235.tif 000004